(57)【要約】【課題】ヒレ部とヒレ部から延出する雨垂れ受け部との合計断面積の差異を少なくすることで、成形性に優れた袖瓦を提供すること。【解決手段】雨垂れ受け部３０は、雨垂れ受け部後端３０Ｂの雨受け寸法３０ＢＬが雨垂れ受け部前端３０Ｆの雨受け寸法３０ＦＬより大きく、雨垂れ受け部後端３０Ｂから雨垂れ受け部前端３０Ｆに向けて雨受け寸法３０Ｌを漸次小さくし、ヒレ部２０は、ヒレ部後端２０Bの厚さ寸法２０ＢＬがヒレ部前端２０Ｆの厚さ寸法２０ＦＬより大きく、ヒレ部後端２０Bからヒレ部前端２０Ｆに向けて厚さ寸法２０Ｌを漸次小さくしたことを特徴とする。【選択図】        図１
2019132036.tif 000002
【特許請求の範囲】
【請求項１】
上面部前端に頭見付け部を形成する上面部と、
前記上面部の一方に垂下させて形成するヒレ部と、
前記ヒレ部の外側面下端から延出させて形成する雨垂れ受け部と
を有し、
前記ヒレ部は、ヒレ部後端の高さ寸法よりヒレ部前端の高さ寸法が大きく、
前記上面部は、上面部後端の幅寸法より前記上面部前端の幅寸法が大きい
袖瓦であって、
前記雨垂れ受け部は、雨垂れ受け部後端の雨受け寸法が雨垂れ受け部前端の雨受け寸法より大きく、前記雨垂れ受け部後端から前記雨垂れ受け部前端に向けて前記雨受け寸法を漸次小さくし、
前記ヒレ部は、前記ヒレ部後端の厚さ寸法が前記ヒレ部前端の厚さ寸法より大きく、前記ヒレ部後端から前記ヒレ部前端に向けて前記厚さ寸法を漸次小さくした
ことを特徴とする袖瓦。
【請求項２】
前記雨垂れ受け部後端の前記雨受け寸法を、前記上面部前端の前記幅寸法と前記上面部後端の前記幅寸法との差に等しくした
ことを特徴とする請求項１に記載の袖瓦。
【請求項３】
上面視で長方形形状とした
ことを特徴とする請求項１又は請求項２に記載の袖瓦。
【請求項４】
上面視で前記雨垂れ受け部を直角三角形形状とした
ことを特徴とする請求項１から請求項３のいずれか１項に記載の袖瓦。
【請求項５】
上面視で前記ヒレ部の前記外側面が前記直角三角形形状の斜辺となる
ことを特徴とする請求項４に記載の袖瓦。
【発明の詳細な説明】
【技術分野】
【０００１】
本発明は、粘土を材料とした袖瓦に関する。
【背景技術】
【０００２】
粘土を材料とした瓦は、真空土練機で成形された板材を元にしてプレス成形される。従って、前端と後端とで必要とする材料の量の差が大きいと成形性が良くない。
ヒレ部後端の高さ寸法よりヒレ部前端の高さ寸法が大きいヒレ部を形成するためには、ヒレ部後端側よりヒレ部前端側でより多くの材料が必要である。
なお、特許文献１では、ヒレ部後端の高さ寸法よりヒレ部前端の高さ寸法が大きいヒレ部が開示され、更に雨垂れ受け部後端の雨受け寸法が雨垂れ受け部前端の雨受け寸法より大きい雨垂れ受け部が開示されている。
【先行技術文献】
【特許文献】
【０００３】
【特許文献１】特開２０１４−２０１９１９号公報
【発明の概要】
【発明が解決しようとする課題】
【０００４】
ヒレ部とヒレ部から延出する雨垂れ受け部とに必要な材料の量を前端と後端とで差異を少なくすることで、成形性が良好となり、製作時における乾燥時や焼成時での収縮による変形や亀裂の発生を防止できる。
特許文献１は、ヒレ部の外側面を流れる雨水が落下し難い袖瓦を提供することを目的としているために、雨垂れ受け部をヒレ部の後端から前端までの間に設けているが、ヒレ部とヒレ部から延出する雨垂れ受け部とに必要な材料の量を前端と後端とで差異を少なくすることは示されておらず、図面から判断しても、ヒレ部とヒレ部から延出する雨垂れ受け部とに必要な材料の量が前端と後端とで均一であるとは言えない。
【０００５】
本発明は、ヒレ部とヒレ部から延出する雨垂れ受け部との合計断面積を、前端から後端までのそれぞれの位置で、差異を少なくすることで、成形性に優れた袖瓦を提供することを目的とする。
【課題を解決するための手段】
【０００６】
請求項１記載の本発明の袖瓦１００は、上面部前端１０Ｆに頭見付け部１１を形成する上面部１０と、前記上面部１０の一方に垂下させて形成するヒレ部２０と、前記ヒレ部２０の外側面下端２０Ｕから延出させて形成する雨垂れ受け部３０とを有し、前記ヒレ部２０は、ヒレ部後端２０Bの高さ寸法２０ＢＨよりヒレ部前端２０Ｆの高さ寸法２０ＦＨが大きく、前記上面部１０は、上面部後端１０Ｂの幅寸法１０ＢＬより前記上面部前端１０Ｆの幅寸法１０ＦＬが大きい袖瓦１００であって、前記雨垂れ受け部３０は、雨垂れ受け部後端３０Ｂの雨受け寸法３０ＢＬが雨垂れ受け部前端３０Ｆの雨受け寸法３０ＦＬより大きく、前記雨垂れ受け部後端３０Ｂから前記雨垂れ受け部前端３０Ｆに向けて前記雨受け寸法３０Ｌを漸次小さくし、前記ヒレ部２０は、前記ヒレ部後端２０Bの厚さ寸法２０ＢＬが前記ヒレ部前端２０Ｆの厚さ寸法２０ＦＬより大きく、前記ヒレ部後端２０Bから前記ヒレ部前端２０Ｆに向けて前記厚さ寸法２０Ｌを漸次小さくしたことを特徴とする。
請求項２記載の本発明は、請求項１に記載の袖瓦１００において、前記雨垂れ受け部後端３０Ｂの前記雨受け寸法３０ＢＬを、前記上面部前端１０Ｆの前記幅寸法１０ＦＬと前記上面部後端１０Ｂの前記幅寸法１０ＢＬとの差に等しくしたことを特徴とする。
請求項３記載の本発明は、請求項１又は請求項２に記載の袖瓦１００において、上面視で長方形形状としたことを特徴とする。
請求項４記載の本発明は、請求項１から請求項３のいずれか１項に記載の袖瓦１００において、上面視で前記雨垂れ受け部３０を直角三角形形状としたことを特徴とする。
請求項５記載の本発明は、請求項４に記載の袖瓦１００において、上面視で前記ヒレ部２０の前記外側面が前記直角三角形形状の斜辺となることを特徴とする。
【発明の効果】
【０００７】
本発明の袖瓦によれば、ヒレ部として前端から後端までの断面積の差異を少なくするとともに、ヒレ部と雨垂れ受け部との合計断面積を、前端から後端までの差異を少なくすることで、成形性を良好にして、製作時における乾燥時や焼成時での収縮による変形や亀裂の発生を防止できる。
【図面の簡単な説明】
【０００８】
【図１】本発明の一実施例による袖瓦の施工状態を示す斜視図及び断面図
【図２】同袖瓦を示す斜視図
【図３】本実施例による２つの袖瓦の配設状態での側面図及び上面図
【図４】同袖瓦の設計例を説明する図
【図５】同設計例の各部位での寸法及び断面積を示す図
【図６】本実施例と比較例との袖瓦の働き長さを示す要部断面図
【発明を実施するための形態】
【０００９】
本発明の第１の実施の形態による袖瓦は、雨垂れ受け部は、雨垂れ受け部後端の雨受け寸法が雨垂れ受け部前端の雨受け寸法より大きく、雨垂れ受け部後端から雨垂れ受け部前端に向けて雨受け寸法を漸次小さくし、ヒレ部は、ヒレ部後端の厚さ寸法がヒレ部前端の厚さ寸法より大きく、ヒレ部後端からヒレ部前端に向けて厚さ寸法を漸次小さくしたものである。本実施の形態によれば、ヒレ部後端の高さ寸法よりヒレ部前端の高さ寸法が大きいヒレ部では、ヒレ部後端の厚さ寸法がヒレ部前端の厚さ寸法より大きく、ヒレ部後端からヒレ部前端に向けて厚さ寸法を漸次小さくすることで、ヒレ部として前端から後端までの断面積の差異を少なくするとともに、雨垂れ受け部後端の雨受け寸法を雨垂れ受け部前端の雨受け寸法より大きくし、雨垂れ受け部後端から雨垂れ受け部前端に向けて雨受け寸法を漸次小さくすることで、ヒレ部とヒレ部から延出する雨垂れ受け部との前端から後端までの合計断面積の差異を少なくして、成形性が良好で、製作時における乾燥時や焼成時での収縮による変形や亀裂の発生を防止できる。
【００１０】
本発明の第２の実施の形態は、第１の実施の形態による袖瓦において、雨垂れ受け部後端の雨受け寸法を、上面部前端の幅寸法と上面部後端の幅寸法との差に等しくしたものである。本実施の形態によれば、施工時に上方に配置される袖瓦の前端幅と、下方に配置される袖瓦の後端幅とが一致するために、上方に配置される袖瓦の外側面を流れる雨水は、落下することなく下方に配置される袖瓦に沿って流れ、雨垂れ防止性能が向上する。
【００１１】
本発明の第３の実施の形態は、第１又は第２の実施の形態による袖瓦において、上面視で長方形形状としたものである。本実施の形態によれば、梱包しやすく、箱内部での凹凸が少ないために、保管時や搬送時での袖瓦の欠けが生じにくくハンドリングに優れている。
【００１２】
本発明の第４の実施の形態は、第１から第３のいずれかの実施の形態による袖瓦において、上面視で雨垂れ受け部を直角三角形形状としたものである。本実施の形態によれば、成形性及び美観性に優れている。
【００１３】
本発明の第５の実施の形態は、第４の実施の形態による袖瓦において、上面視でヒレ部の外側面が直角三角形形状の斜辺となるものである。本実施の形態によれば、ヒレ部の外側面が平坦面で形成されているため、成形性及び美観性に優れている。
【実施例】
【００１４】
以下本発明の一実施例による袖瓦について説明する。
図１は本実施例による袖瓦の施工状態を示す斜視図及び断面図である。図１（ａ）は３つの袖瓦の配置を示す斜視図であり、図１（ｂ）は図１（ａ）のＸ−Ｘ断面図である。
本実施例による袖瓦１００は、建造物の切り妻屋根の破風板Ｙに沿って並べて用いられる。袖瓦１０１は、上方にある袖瓦１０２の前端１０２Ｆに袖瓦１０１の後端１０１Ｂがはめ込まれ、下方にある袖瓦１０３の後端１０３Ｂを袖瓦１０１の前端１０１Ｆにはめ込んで設置される。
【００１５】
図２は本実施例による袖瓦を示す斜視図である。
袖瓦１００は、上面部前端１０Ｆに頭見付け部１１を、上面部後端１０Ｂに尻部水返し１２を形成する上面部１０と、上面部１０の一方に垂下させて形成するヒレ部２０と、ヒレ部２０の外側面下端２０Ｕから延出させて形成する雨垂れ受け部３０とを有する。頭見付け部１１は、上面部前端１０Ｆに垂下させて形成されている。尻部水返し１２は、上面部後端１０Ｂに上面部１０より高く形成されている。尻部水返し１２及び上面部前端１０Ｆのテーパー部を除く上面部１０の上面と、ヒレ部２０の外側面と、雨垂れ受け部３０の受面とは、それぞれ平坦面で形成している。ここで、平坦面とは、凹凸が無く湾曲していない面である。
【００１６】
図３は本実施例による２つの袖瓦の配設状態での側面図及び上面図である。
図３（ａ）に示すように、上面部１０は、上面部後端１０Ｂの幅寸法１０ＢＬより上面部前端１０Ｆの幅寸法１０ＦＬが大きく、上面部後端１０Ｂから上面部前端１０Ｆに向けて幅寸法１０Ｌを漸次大きくしている。上面部１０の幅寸法１０Ｌは、均一に漸次大きくすることが好ましい。
雨垂れ受け部３０は、雨垂れ受け部後端３０Ｂの雨受け寸法３０ＢＬが雨垂れ受け部前端３０Ｆの雨受け寸法３０ＦＬより大きく、雨垂れ受け部後端３０Ｂから雨垂れ受け部前端３０Ｆに向けて雨受け寸法３０Ｌを漸次小さくしている。雨垂れ受け部３０の雨受け寸法３０Ｌは、均一に漸次小さくし、雨垂れ受け部前端３０Ｆの雨受け寸法３０ＦＬはゼロ又はゼロに近い寸法とすることが好ましい。
雨垂れ受け部後端３０Ｂの雨受け寸法３０ＢＬを、上面部前端１０Ｆの幅寸法１０ＦＬと上面部後端１０Ｂの幅寸法１０ＢＬとの差に等しくしている。このように、雨受け寸法３０ＢＬを、上面部前端１０Ｆの幅寸法１０ＦＬと上面部後端１０Ｂの幅寸法１０ＢＬとの差に等しくすることで、図１に示すように、施工時に上方に配置される袖瓦１０２の前端１０２Ｆの幅と、下方に配置される袖瓦１０１の後端１０１Ｂの幅、及び上方に配置される袖瓦１０１の前端１０１Ｆの幅と、下方に配置される袖瓦１０３の後端１０３Ｂの幅とが一致する。従って、上方に配置される袖瓦１０２、１０１の外側面を流れる雨水は、落下することなく下方に配置される袖瓦１０１、１０３に沿って流れ、雨垂れ防止性能が向上する。
【００１７】
本実施例による袖瓦１００は、上面視で長方形形状としている。このように、上面視で長方形形状とすることで、梱包しやすく、箱内部での凹凸が少ないために、保管時や搬送時での袖瓦１００の欠けが生じにくくハンドリングに優れている。
また、本実施例による袖瓦１００は、上面視で雨垂れ受け部３０を直角三角形形状としている。このように、上面視で雨垂れ受け部３０を直角三角形形状とすることで、成形性及び美観性に優れている。
また、本実施例による袖瓦１００は、上面視でヒレ部２０の外側面が直角三角形形状の斜辺となるように、ヒレ部２０の外側面を平坦面で形成しており、成形性及び美観性に優れている。
【００１８】
図３（ｂ）に示すように、ヒレ部２０は、ヒレ部後端２０Ｂの高さ寸法２０ＢＨよりヒレ部前端２０Ｆの高さ寸法２０ＦＨが大きく、ヒレ部後端２０Ｂからヒレ部前端２０Ｆに向けて高さ寸法２０Ｈを漸次大きくしている。ヒレ部２０の高さ寸法２０Ｈは、均一に漸次大きくすることが好ましい。
図３（ａ）に示すように、ヒレ部２０は、ヒレ部後端２０Ｂの厚さ寸法２０ＢＬがヒレ部前端２０Ｆの厚さ寸法２０ＦＬより大きく、ヒレ部後端２０Ｂからヒレ部前端２０Ｆに向けて厚さ寸法２０Ｌを漸次小さくしている。ヒレ部２０の厚さ寸法２０Ｌは、均一に漸次小さくしているが、ヒレ部前端２０Ｆから所定距離だけは厚さ寸法２０Ｌを同一としてもよい。
【００１９】
図４は本実施例による袖瓦の設計例を説明する図、図５は同設計例の各部位での寸法及び断面積を示す図である。
このように、本実施例によれば、ヒレ部後端２０Ｂの高さ寸法２０ＢＨよりヒレ部前端２０Ｆの高さ寸法２０ＦＨが大きいヒレ部２０では、ヒレ部後端２０Ｂの厚さ寸法２０ＢＬがヒレ部前端２０Ｆの厚さ寸法２０ＦＬより大きく、ヒレ部後端２０Ｂからヒレ部前端２０Ｆに向けて厚さ寸法２０Ｌを漸次小さくすることで、ヒレ部２０としてヒレ部前端２０Ｆからヒレ部後端２０Ｂまでの断面積の差異を少なくするとともに、雨垂れ受け部後端３０Ｂの雨受け寸法３０ＢＬを雨垂れ受け部前端３０Ｆの雨受け寸法３０ＦＬより大きくし、雨垂れ受け部後端３０Ｂから雨垂れ受け部前端３０Ｆに向けて雨受け寸法３０Ｌを漸次小さくすることで、ヒレ部２０とヒレ部２０から延出する雨垂れ受け部３０との前端から後端までの合計断面積の差異を少なくして、成形性が良好で、製作時における乾燥時や焼成時での収縮による変形や亀裂の発生を防止できる。
【００２０】
図６は本実施例と比較例との袖瓦の働き長さを示す要部断面図である。
図６（ａ）は本実施例による袖瓦の働き長さ最大を、図６（ｂ）は本実施例による袖瓦の働き長さ最少を、図６（ｃ）は比較例による袖瓦の働き長さ最大を、図６（ｄ）は比較例による袖瓦の働き長さ最少を、それぞれ示している。
本実施例による袖瓦１００は、ヒレ部２０の外側面は平坦面で形成し、ヒレ部２０の厚さ寸法２０Ｌをヒレ部後端２０Ｂからヒレ部前端２０Ｆに向けて均一に漸次小さくしている。
これに対して、比較例による袖瓦２００は、ヒレ部２２０の前端側に嵌め込み部２２１を形成している。
【００２１】
本実施例による袖瓦１００では、ヒレ部２０の外側面を平坦面とするとともに、ヒレ部２０の厚さ寸法２０Ｌを漸次小さくしているため、働き長さＡを比較例で示す働き長さＢよりも大きくできるため、調整幅を広くすることができる。また、破風板Ｙとヒレ部２０との間に生じる隙間Ｚについても、比較例で示す隙間Ｚより小さくでき、小動物の浸入を防止することができる。
比較例による袖瓦２００では、嵌め込み部２２１の寸法によって働き長さＢが決定し、働き長さＢを大きくすると、破風板Ｙとヒレ部２２０との間に大きな隙間Ｚが生じてしまう。
なお、本実施例による袖瓦１００において、ヒレ部前端２０Ｆから所定距離だけは厚さ寸法２０Ｌを同一とすることで、働き長さＡを更に長くできるとともに隙間Ｚを小さくすることができる。
【産業上の利用可能性】
【００２２】
本発明は、粘土を材料とした袖瓦における製造を容易とするとともに保管や搬送にも優れ、また施工性や施工後の雨垂れ防止性能にも優れている。
【符号の説明】
【００２３】
１０  上面部
１０Ｂ  上面部後端
１０ＢＬ  幅寸法
１０Ｆ  上面部前端
１０ＦＬ  幅寸法
１０Ｌ  幅寸法
１１  頭見付け部
１２  尻部水返し
２０  ヒレ部
２０Ｂ  ヒレ部後端
２０ＢＨ  高さ寸法
２０ＢＬ  厚さ寸法
２０Ｆ  ヒレ部前端
２０ＦＨ  高さ寸法
２０ＦＬ  厚さ寸法
２０Ｈ  高さ寸法
２０Ｌ  厚さ寸法
２０Ｕ  外側面下端
３０  雨垂れ受け部
３０Ｂ  雨垂れ受け部後端
３０ＢＬ  雨受け寸法
３０Ｆ  雨垂れ受け部前端
３０ＦＬ  雨受け寸法
３０Ｌ  雨受け寸法
１００  袖瓦
１０１  袖瓦
１０１Ｂ  後端
１０１Ｆ  前端
１０２  袖瓦
１０２Ｆ  前端
１０３  袖瓦
１０３Ｂ  後端
２００  袖瓦
２２０  ヒレ部
２２１  嵌め込み部
Ａ  働き長さ
Ｂ  働き長さ
Ｙ  破風板
Ｚ  隙間
【図１】
2019132036.tif 000003
【図２】
2019132036.tif 000004
【図３】
2019132036.tif 000005
【図４】
2019132036.tif 000006
【図５】
2019132036.tif 000007
【図６】
2019132036.tif 000008
【手続補正書】
【提出日】平成30年7月10日(2018.7.10)
【手続補正１】
【補正対象書類名】明細書
【補正対象項目名】０００６
【補正方法】変更
【補正の内容】
【０００６】
請求項１記載の本発明の袖瓦１００は、上面部前端１０Ｆに頭見付け部１１を形成する上面部１０と、前記上面部１０の一方に垂下させて形成するヒレ部２０と、前記ヒレ部２０の外側面下端２０Ｕから延出させて形成する雨垂れ受け部３０とを有し、前記ヒレ部２０は、ヒレ部後端２０Bの高さ寸法２０ＢＨよりヒレ部前端２０Ｆの高さ寸法２０ＦＨが大きく、前記上面部１０は、上面部後端１０Ｂの幅寸法１０ＢＬより前記上面部前端１０Ｆの幅寸法１０ＦＬが大きい、粘土を材料とした袖瓦１００であって、前記雨垂れ受け部３０は、雨垂れ受け部後端３０Ｂの雨受け寸法３０ＢＬが雨垂れ受け部前端３０Ｆの雨受け寸法３０ＦＬより大きく、前記雨垂れ受け部後端３０Ｂから前記雨垂れ受け部前端３０Ｆに向けて前記雨受け寸法３０Ｌを漸次小さくし、前記ヒレ部２０は、前記ヒレ部後端２０Bの厚さ寸法２０ＢＬが前記ヒレ部前端２０Ｆの厚さ寸法２０ＦＬより大きく、前記ヒレ部後端２０Bから前記ヒレ部前端２０Ｆに向けて前記厚さ寸法２０Ｌを漸次小さくしたことを特徴とする。
請求項２記載の本発明は、請求項１に記載の袖瓦１００において、前記雨垂れ受け部後端３０Ｂの前記雨受け寸法３０ＢＬを、前記上面部前端１０Ｆの前記幅寸法１０ＦＬと前記上面部後端１０Ｂの前記幅寸法１０ＢＬとの差に等しくしたことを特徴とする。
請求項３記載の本発明は、請求項１又は請求項２に記載の袖瓦１００において、上面視で長方形形状としたことを特徴とする。
請求項４記載の本発明は、請求項１から請求項３のいずれか１項に記載の袖瓦１００において、上面視で前記雨垂れ受け部３０を直角三角形形状としたことを特徴とする。
請求項５記載の本発明は、請求項４に記載の袖瓦１００において、上面視で前記ヒレ部２０の前記外側面が前記直角三角形形状の斜辺となることを特徴とする。
【手続補正２】
【補正対象書類名】特許請求の範囲
【補正対象項目名】全文
【補正方法】変更
【補正の内容】
【特許請求の範囲】
【請求項１】
上面部前端に頭見付け部を形成する上面部と、
前記上面部の一方に垂下させて形成するヒレ部と、
前記ヒレ部の外側面下端から延出させて形成する雨垂れ受け部と
を有し、
前記ヒレ部は、ヒレ部後端の高さ寸法よりヒレ部前端の高さ寸法が大きく、
前記上面部は、上面部後端の幅寸法より前記上面部前端の幅寸法が大きい、
粘土を材料とした袖瓦であって、
前記雨垂れ受け部は、雨垂れ受け部後端の雨受け寸法が雨垂れ受け部前端の雨受け寸法より大きく、前記雨垂れ受け部後端から前記雨垂れ受け部前端に向けて前記雨受け寸法を漸次小さくし、
前記ヒレ部は、前記ヒレ部後端の厚さ寸法が前記ヒレ部前端の厚さ寸法より大きく、前記ヒレ部後端から前記ヒレ部前端に向けて前記厚さ寸法を漸次小さくした
ことを特徴とする袖瓦。
【請求項２】
前記雨垂れ受け部後端の前記雨受け寸法を、前記上面部前端の前記幅寸法と前記上面部後端の前記幅寸法との差に等しくした
ことを特徴とする請求項１に記載の袖瓦。
【請求項３】
上面視で長方形形状とした
ことを特徴とする請求項１又は請求項２に記載の袖瓦。
【請求項４】
上面視で前記雨垂れ受け部を直角三角形形状とした
ことを特徴とする請求項１から請求項３のいずれか１項に記載の袖瓦。
【請求項５】
上面視で前記ヒレ部の前記外側面が前記直角三角形形状の斜辺となる
ことを特徴とする請求項４に記載の袖瓦。